(57)【要約】【課題】ＣＤ、ＤＶＤ等の光ディスク装置に用いられているディスク回転用モータにおいて、重量低減のためにベースプレートに形成した切欠き部や開口部から異物が侵入しモータがロック状態に陥る危険性があるという課題を解決する。【解決手段】ベースプレート２９上に形成した複数カ所の切欠き部３２や開口部３３をベースプレートに接合されたプリント基板３０で塞ぐことにより、新たな部材を使うことなく、異物の侵入を防止するものである。【選択図】図２
2006129633.tif 000002
【特許請求の範囲】
【請求項１】
ディスクを搭載するターンテーブル部とロータフレームと前記ターンテーブル部と共にディスクを押圧支持するディスク保持部材と前記ロータフレームに取り付けられたロータマグネットと前記ロータフレームの中央に固定されたシャフトとを有するロータ部と、前記シャフトを支承する軸受とこの軸受を保持するメタルハウジングと前記ロータマグネットと対向して配置され巻線が施されたコアと前記ハウジングを保持するブラケットとを備えるステータ部と、からなるブラシレスモータにおいて、前記ブラケットは金属製のベースプレートとプリント基板の組み合わせによって構成され、前記ベースプレートには複数の切欠き部、もしくは開口部が形成され、その切欠き部、または開口部を前記プリント基板によって塞いで成るブラシレスモータ。
【発明の詳細な説明】
【技術分野】
【０００１】
本発明はブラシレスモータの異物侵入防止に関するものである。
【背景技術】
【０００２】
近年、モバイル用途の光ディスク装置は、小型化、薄型化が求められているとともに、軽量化も重要要求項目に挙げられており、これに用いられるディスク回転用モータも同様に、軽量化が強く求められているが、前記ベースプレートはその剛性、精度、磁性等の目的から鉄系、ステンレス系、または黄銅系の材質が用いられるのが一般的であり、ディスク回転用モータにおいて、大きな重量比を占めている。
【０００３】
図４はＣＤ、ＤＶＤ等の光ディスク装置に用いられているディスク回転用モータの構造の従来例である。ディスク回転用モータはロータ部１とステータ部２によって構成されている。その内、ロータ部１はターンテーブル部３とヨーク部４が一体化された一体型ロータフレーム５、及びターンテーブル部３と共にディスクを押圧支持するディスク保持部材６、ロータマグネット７、シャフト８、抜け止め部材９等から構成され、ステータ部２は軸受１０、この軸受１０を保持するメタルハウジング１１、及びロータマグネット７と対向して配置され巻線を施されたコア１２、および、金属製のベースプレート１３とＦＰＣ等のプリント基板１４からなるブラケット１５とにより構成されている。
【０００４】
上記構成において、ブラシレスモータの重量低減のためには、一般的に、材質変更、または材料の肉厚薄化等の手段が取られるが、更なる軽量化のためには、前記ベースプレート１３に切欠き部や、開口部を設けることが必要となる。
【０００５】
これまで、モータの軽量化ではなく、薄型化という目的のために、前記ベースプレート１３に開口部を形成することが提案されている（例えば、特許文献１、特許文献２参照）。
【特許文献１】特開平１１−１８７６３７号公報（第４頁、図１）
【特許文献２】特開２００４−２１３８０７号公報（第８頁、図３）
【発明の開示】
【発明が解決しようとする課題】
【０００６】
上記従来の構成において、ブラシレスモータの重量低減のため、前記ベースプレートに切欠き部や開口部が形成され、それがロータ部領域にまで及ぶ場合、異物が侵入し、モータがロック状態に陥る危険性があるため、前記切欠き部や開口部を何らかの方法で塞ぐことが必要となる。
【０００７】
例えば特許文献２では、前記ベースプレート上の、ロータ部と反対側に、シート状の保護材を備えることを提案している。しかしこの場合では、前記ベースプレート上に凸部が形成されてしまうため、モータの薄型化には適さない。また、新たに部材を必要とするため、コスト面からも望ましくない。
【０００８】
本発明は、このような従来の課題を解決するものであり、新たな部材を使うことなく、ブラシレスモータの軽量化の際に発生するであろう弊害を防止することを目的とする。
【課題を解決するための手段】
【０００９】
上記課題を解決するために本発明は、ブラシレスモータの重量低減を図るために形成されたベースプレート上の複数の切欠き部、または開口部を、前記ベースプレートに接合さ
れたＦＰＣ、またはガラスエポキシ基板、または紙フェノール基板で塞ぐことにより、異物の侵入を防止するものである。
【発明の効果】
【００１０】
請求項１記載の発明によれば、ベースプレートに形成した複数の切欠き部、または開口部から異物が侵入するという、ブラシレスモータの軽量化の際に発生する弊害を防止できるという有利な効果が得られる。また、ベースプレートに形成された切欠き部や開口部を塞ぐために、新たな部材を用いる必要がなく、コスト面でも有益であるとともに、前記ベースプレート上の、ロータ部と反対側に切欠き部や開口部を塞ぐ部材ががないため、薄型化にも有用である。また、切欠き部や開口部を塞ぐことは、ロータが回転することによって生じる風切音等の騒音の漏れを防ぐことが可能となるため、モータ騒音低減の効果も得られる。
【発明を実施するための最良の形態】
【００１１】
以下、本発明の実施の形態について図を参照しながら説明する。
【００１２】
(実施の形態１)
図１は本発明の実施の形態１に係るモータの構造断面図である。図１においてブラシレスモータは、ディスクを搭載するターンテーブル部１６とヨーク部１７が一体化された一体型ロータフレーム１８及びターンテーブル部１６と共にディスクを押圧支持するディスク保持部材１９とロータフレーム１８に取り付けられたロータマグネット２０とロータフレームの中央に固定されたシャフト２１と抜け止め部材２２等とからなるロータ部２３と、シャフト２１を支承する軸受２４、この軸受を保持するメタルハウジング２５とロータマグネット２０と対向して配置され巻線を施されたされたコア２６とハウジング２５を保持するブラケット２７とを有するステータ部２８とにより構成される。
【００１３】
前記ブラケット２７は金属製のベースプレート２９とＦＰＣのプリント基板３０の組み合わせによって構成され、前記ベースプレート２９と前記ＦＰＣのプリント基板３０は、接着や、両面テープ等の方法により接合されている。
【００１４】
図２は本発明の実施の形態１に係るモータの斜視図であり、ブラシレスモータをロータ部２３と反対側から矢視した図である。前記ベースプレート２９には、主にモータの軽量化を目的とした複数ヶ所の切欠き部３２及び扇形状の開口部３３が形成され、その切欠き部３２、及び開口部３３を前記ＦＰＣのプリント基板３０によって塞いでいる。これにより、異物の侵入を防ぐだけでなく、騒音漏れも防ぐことが可能となる。この時、前記ブラケット２７のプリント基板３０は、ＦＰＣ以外にも、ガラスエポキシ基板や、紙フェノール基板を用いても良い。また、前記ベースプレート２９の軽量化の形態は、図３のように、多数の小径穴３５を穿設したものにも適用できる。
【００１５】
これにより、異物侵入等の、モータ軽量化の際の弊害防止を図ることができる
【産業上の利用可能性】
【００１６】
光メディア用スピンドルモータ等、軽量化が求められるモバイル機器用ブラシレスモータに有用である。
【図面の簡単な説明】
【００１７】
【図１】本発明の実施例に係るモータの構造断面図
【図２】本発明の実施の形態１に係るモータの斜視図
【図３】本発明の実施の形態１に係るその他の例のモータの斜視図
【図４】従来のブラシレスモータの構造断面図
【符号の説明】
【００１８】
１、２３  ロータ部
２、２８  ステータ部
３、１６  ターンテーブル部
４、１７  ヨーク部
５、１８  ロータフレーム
６、１９  ディスク保持部材
７、２０  ロータマグネット
８、２１  シャフト
９、２２  抜け止め部材
１０、２４  軸受
１１、２５  メタルハウジング
１２、２６  コア
１３、２９  ベースプレート
１４、３０  プリント基板
１５、２７  ブラケット
３２  切欠き部
３３  開口部
３５  小径穴
【図１】
2006129633.tif 000003
【図２】
2006129633.tif 000004
【図３】
2006129633.tif 000005
【図４】
2006129633.tif 000006